(57)【要約】      （修正有）【課題】拝顔用の窓に設けられている透明板をゆがみなく取り付け、樹脂製の透明板に傷などがあり交換が必要な場合にも即座に対応できる棺を提供する。【解決手段】棺本体と、蓋３とからなり、蓋３には棺本体に納められた遺体の顔に対応した部分に拝顔用の窓４が設けられており、窓４には扉が観音開き状に蝶番等によって開閉自在に取り付けられている棺において、窓４の内周縁４ａ、４ｂ、４ｃ、４ｄに内方に向けて突出させた支え部６ｃ、６ｄを設け、窓４の内周に嵌まる大きさの透明板を窓４の上方から嵌めて、透明板７の外周が支え部６ｃ、６ｄに支えられて保持され、窓４の内周縁４ａ、４ｂ、４ｃ、４ｄにおいて、対向する２組の上記支え部のうち一方の短手方向に沿った支え部の透明板７のすぐ上方に対向する１組の押さえ部８ａ、８ｂを設けられている。【選択図】図３
0003222944.tif 000002
【実用新案登録請求の範囲】
【請求項１】
棺本体と、蓋とからなり、蓋には棺本体に納められた遺体の顔に対応した部分に拝顔用の長方形の窓が設けられており、当該窓には扉が観音開き状に蝶番等によって開閉自在に取り付けられている棺において、
窓を取り囲む４辺の内周縁の下側から前記窓の内方に向けて全周にわたって突出させた支え部を設け、窓の内周縁に嵌まる大きさの樹脂製の透明板を上記窓の上方から嵌めて、上記透明板の外周が上記支え部に載せられ、対向する２対の上記支え部のうち一対の支え部のみに対して、当該一対の支え部が前記窓の内方に向けて突出した突出部分との間に上記透明板を挟み込む押さえ部が内周縁に固定されており、上記支え部及び上記押さえ部の表面は布地が貼られていることを特徴とする棺。
【請求項２】
請求項１の棺において、前記押さえ部は、前記窓の内周縁に対して打ち込まれた無頭のピンにより固定されており、前記ピンは前記透明板を貫通していないことを特徴とする棺。
【請求項３】
請求項２の棺において、前記押さえ部を前記ピンにより固定する際には、前記透明板が前記支え部に載せられた透明板を前記押さえ部により押さえられた状態で、前記ピンが前記押さえ部から前記窓の内周縁に打ち込まれていることを特徴とする棺。
【考案の詳細な説明】
【技術分野】
【０００１】
本考案は、棺に関するものである。
【背景技術】
【０００２】
一般に、棺は棺本体と蓋とからなり、蓋の遺体の顔に対応した部分に拝顔用の窓が設けられ、窓の下部には透明板が張設されている。また、宗教上の儀式に対応できるように透明板が長手方向に沿ってスライド自在に設けられているものも考えられている（特許文献１参照）。
【先行技術文献】
【特許文献】
【０００３】
【特許文献１】実用新案登録第３１０６２５６号公報
【考案の概要】
【考案が解決しようとする課題】
【０００４】
透明板は樹脂製であり、柔軟な物であるため傷付いたり曇りが出たりしやすい。透明板を蓋の内側にピンなどで固定すると、止具合により透明板が歪んでうねりが出ることがある。また、葬儀場で透明板に傷があることに気づいた場合、不良品として返品され、棺まるごと交換する必要があった。透明板がスライド自在に設けられているものでも、スライドの枠に固定されており、その場ですぐに交換はできないという問題があった。
そこで、本考案は、透明板を歪むことなく取り付け、透明板を簡易に交換できる棺を提供することを目的とする。
【課題を解決するための手段】
【０００５】
上記目的を達成するために、本考案の棺は、棺本体と、蓋とからなり、蓋には棺本体に納められた遺体の顔に対応した部分に拝顔用の長方形の窓が設けられており、当該窓には扉が観音開き状に蝶番等によって開閉自在に取り付けられている棺において、窓を取り囲む４辺の内周縁の下側から全周にわたって前記窓の内方に向けて突出させた支え部を設け、窓の内周縁に嵌まる大きさの樹脂製の透明板を上記窓の上方から嵌めて、上記透明板の外周が上記支え部に載せられ、対向する２対の上記支え部のうち一対の支え部のみに対して、当該一対の支え部が前記窓の内方に向けて突出した突出部分との間に上記透明板を挟み込む押さえ部が内周縁に固定されており、上記支え部及び上記押さえ部の表面は布地が貼られていることを特徴とする。
【考案の効果】
【０００６】
この考案によれば、透明板の短手方向に沿った縁部は支え部と押さえ部に挟まれて取り付けられ、透明板をピンで蓋に固定していないため、透明板にうねりがでることがない。透明板を蓋の下方から押上げて取り出すことができ、上方から隙間に挟み込みことで簡単に取り付けることができる。宗教や地域の習慣、風習によって透明板が不要の場合にもその場で取り外しの対応がすぐにできる。支え部及び押さえ部に布地が貼られていることにより、透明板が滑りにくく、出荷の際には透明板が窓にピッタリと嵌っており、交換する際、隙間に入れるとき負荷があるが、ゆがみなく収めることができる。
【図面の簡単な説明】
【０００７】
【図１】本考案に係る棺の斜視図である。
【図２】図２（ａ）は図１のＡ−Ａ線断面図、図２（ｂ）は図１のＢ−Ｂ線断面図である。
【図３】両側の扉５を開いた状態の窓４の平面図を拡大して示している。
【図４】透明板を挟み込む過程の説明図で図４（ａ）−図４（ｃ）は透明板がある状態の説明図、図４（ｄ）は透明板を取り外した状態の説明図である。
【図５】本考案に係る棺の他の例の斜視図である。
【図６】図６（ａ）は図５のＣ−Ｃ線断面図、図６（ｂ）は図５のＤ−Ｄ線断面図である。
【考案を実施するための形態】
【実施例１】
【０００８】
以下、本考案に係る棺の一実施の形態について、図１から図４に基づいて説明する。
図１は本考案に係る棺の斜視図を示している。棺１は棺本体２と、蓋３とからなる。蓋３には棺本体２に納められた遺体の顔に対応した部分に長方形の窓４が開かれており、ご遺体の拝顔ができるようになっている。窓４を取り囲む周囲の４辺の内周縁の内、左右の一対の内周縁４ａ、４ｂには、観音開き状に開閉する自在扉１２が蝶番等によって取り付けられている。
【０００９】
図２は、窓の周囲の断面図である。支え部６ａ、６ｂ及び支え部６ｃ、６ｄは、夫々が対向して一対をなしており、土台となる帯状の板材５に対して、布地１０ａ、１０ｂ、１０ｃ、１０ｄが貼られている。支え部６ａ、６ｂ、６ｃ、６ｄは、蓋３の裏面に対して、支え部６ａ、６ｂ、６ｃ、６ｄの面を接触させて、タッカー等によりピン打ち固定されている。尚、棺１の表面には、布地１０ａ、１０ｂ、１０ｃ、１０ｄと同様な布地が装飾として貼られている。
【００１０】
図３の平面図に示すように、窓４を上から見たときに、支え部６ａ、６ｂ、６ｃ、６ｄは、窓４の内方に向けて、その下側から窓４の全周にわたって突出している。上下一対の内周縁４ａ、４ｂからの支え部６ａ、６ｂの突出の幅Ｌ１、Ｌ２は５ｍｍから１５ｍｍ程であり、左右の一対の内周縁４ｃ、４ｄからの支え部６ｃ、６ｄの突出の幅Ｌ３、Ｌ４も同様に５ｍｍから１５ｍｍ程である。
【００１１】
透明板７を窓４の上方から嵌めて、樹脂製の透明板７の外周が支え部６ａ、６ｂ、６ｃ、６ｄの窓４内に突出した突出部分に載せられている。透明板７は窓４の内周と同一又はわずかに小さい大きさである。透明板７の周囲の４辺の端面は、内周縁４ａ、４ｂ、４ｃ、４ｄに対向している。
【００１２】
窓４の内周縁において、支え部６ａ、６ｂ、６ｃ、６ｄのうち短手方向に沿った一対の支え部６ａ、６ｂのみに対して、その上方に押さえ部８ａ、８ｂが設けられている。押さえ部８ａ、８ｂの平面視の大きさは、支え部６ａ、６ｂの突出部分の平面視とほぼ同じ角材である。押さえ部８ａ、８ｂは、その表面に布地１１ａ、１１ｂを有している。
【００１３】
図４を用いて、窓４に対して透明板７を固定する手順を示す。図４（ａ）において、支え部６ａ、６ｂ、６ｃ、６ｄの窓４内に突出した突出部分に載せる。図４（ｂ）において、透明板７が載せられた支え部６ａにさらに押さえ部８ａを載せ、押さえ部８ａを透明板７に押し付けながらタッカー等により無頭のピンを打ち込む。打ち込まれたピン９は、透明板７を貫通しないように、内周縁４ａに対して打ち込まれるようにする。押さえ部８ａを透明板７に押し付けながらタッカー等によりピン打ちを行うことにより、押さえ部８ａと支え部６ａとの間隔ＴＣは、透明板７を適合した間隔に自動的に整合する。また、支え部６ａの布地１０ａと押さえ部８ａの布地１１ａの柔軟性により、弾性を持って透明板７を支持することが可能になる。また、打ち込まれたピン９は、押さえ部８ａの布地１１ａの目を通して打ち込まれており、ピン９の頭部が無くピン９は布地１１ａを貫通してしまうため、ピン９が存在する形跡も視認できなくなる（図４（ｃ））。同様にして、支え部６ｂと押さえ部８ｂに対しても、透明板７を取り付ける作業を行う。
【００１４】
このように、透明板７の短手方向に沿った縁部のみが一対の支え部６ａ、６ｂと押さえ部８ａ、８ｂに挟まれ、透明板７の長手方向に沿った縁部は一対の支え部６ｃ、６ｄに載せられただけであり、押さえられていない。この結果、透明板７にうねりがでることがない。
【００１５】
万が一、斎場の現場において、透明板７の交換が必要になった場合、図４（ｄ）に示すように、窓４の下方から透明板７を押し上げることにより、透明板７を支え部６ａ、６ｂと押さえ部８ａ、８ｂとの間から簡単に外すことができる。窓４の短手方向に沿った支え部６ａ、６ｂと押さえ部８ａ、８ｂの間の間隔ＴＣは、透明板７に対して自己整合的に作られた隙間である。また、棺１の表面には布地が装飾として貼られており、支え部６ａ、６ｂ、６ｃ、６ｄに布地１０ａ、１０ｂ、１０ｃ、１０ｄが貼られ、布地があることにより、透明板７が滑りにくく、出荷の際には透明板７が窓にピッタリと嵌っている。交換する際、隙間に入れるとき負荷があるが、ゆがみなく収めることができる。このように、透明板７の交換が簡単である。
【実施例２】
【００１６】
図５から図６は他の例の棺２０を示すもので、蓋３が上方に凸湾曲に形成されている。このような場合において、透明板７を蓋３の凸湾曲に沿って、設ける場合の例を示す。この場合、押さえ部８ａ、８ｂは長手方向に沿った一対の支え部６ｃ、６ｄの上方にのみに設けられている。他方の短手方向に沿った支え部６ａ、６ｂに対しては、押さえ部８ａ、８ｂを設けずに、透明板７は単に載せられているだけである。他の構成は、実施例１と同様である。本実施例によれば、蓋３が上方に凸湾曲に形成されている場合においても、透明板７の交換を簡単な棺を提供することが可能となる。
【００１７】
上記実施例においては、支え部６ａ、６ｂ、６ｃ、６ｄは板材で蓋３の裏面から取り付けたものであったが、支え部６ａ、６ｂ、６ｃ、６ｄを表面に布地が張られた角材として内周縁４ａ、４ｂ、４ｃ、４ｄの下側に対して取り付けるものでも良い。この場合、支え部６ａ、６ｂ、６ｃ、６ｄ自体が内周縁４ａ、４ｂ、４ｃ、４ｄから突出した突出部分となる。内周縁４ａ、４ｂ、４ｃ、４ｄは、透明板７が搭載される面の高さを揃えておくため、内周縁４ａ、４ｂ、４ｃ、４ｄにおける取り付け高さに注意する必要がある。
【符号の説明】
【００１８】
１    棺
２    棺本体
３    蓋
４    窓
６ａ、６ｂ、６ｃ、６ｄ    支え部
７    透明板
８ａ、８ｂ    押さえ部
１２    扉
【図１】
0003222944.tif 000003
【図２】
0003222944.tif 000004
【図３】
0003222944.tif 000005
【図４】
0003222944.tif 000006
【図５】
0003222944.tif 000007
【図６】
0003222944.tif 000008